(57)【特許請求の範囲】
【請求項１】
円周方向で、内側リング（３）と、
前記内側リング（３）に対して同心に配置された外側リング（４）との間に配置された転動体（２）を有する軸受要素（１）であって、
前記転動体（２）を保持するためのケージ（５）を有し、
円周方向に沿って、個々のリングセグメントに、潤滑剤を受け取るための有孔要素（６ａ、６ｂ、６ｃ、６ｄ）を有し、
前記有孔要素（６ａ、６ｂ、６ｃ、６ｄ）が、円周にわたって等距離で分布され、
リングセグメントの４０％〜６０％が、円周方向に沿って有孔要素（６ａ、６ｂ、６ｃ、６ｄ）を有し、
前記有孔要素（６ａ、６ｂ、６ｃ、６ｄ）の少なくとも１つの半径方向に延在する外面（９ａ）が、軸方向に延在する面取りを有する、軸受要素（１）。
【請求項２】
前記有孔要素（６ａ、６ｂ、６ｃ、６ｄ）が、内周面（７）と、前記内周面（７）に対して同心に延在する外周面（８）と、半径方向に延在する外面としての端面（９ａ、９ｂ）とを有するリングセグメント形の基本形状を有する、請求項１に記載の軸受要素（１）。
【請求項３】
少なくとも１つの有孔要素（６ａ、６ｂ、６ｃ、６ｄ）が、軸方向で延在する突出部（１０）を有する、請求項１又は２に記載の軸受要素（１）。
【請求項４】
前記軸受要素（１）が環状カバーディスク（１１）によって軸方向で閉じられ、前記有孔要素（６ｄ）の少なくとも１つが前記カバーディスク（１１）に取り付けられている、請求項１〜３のいずれか一項に記載の軸受要素（１）。
【請求項５】
第１の平面にあり、有孔要素（６ｃ）を有するリングセグメントと、前記第１の平面に平行に、前記第１の平面から軸方向で離隔して広がる第２の平面にあり、有孔要素（６ｄ）を有するリングセグメントとを備える、請求項１〜４のいずれか一項に記載の軸受要素（１）。
【請求項６】
前記第１の平面と前記第２の平面が、軸方向で前記軸受要素（１）の内部を画定する、請求項５に記載の軸受要素。
【発明の詳細な説明】
【技術分野】
【０００１】
本発明は、円周方向で、内側リングと、内側リングに対して同心に配置された外側リングとの間に配置された転動体を有する軸受要素に関する。
【背景技術】
【０００２】
回転機械部品は、一般に、それらが固定される環境に対してある回転速度で移動する。高い回転速度の場合、回転機械部品と環境の接続は通常、既知の設計の耐摩耗性軸受として構成される。長期にわたって回転能力を維持するために、前記軸受を潤滑しなければならない。
【０００３】
本発明の目的は、特に有利な潤滑特性を有する軸受要素を提供することである。
【０００４】
この目的は、請求項１に記載の特徴によって実現される。有利な実施形態は、従属請求項に記載される。
【０００５】
円周方向で、内側リングと、内側リングに対して同心に配置された外側リングとの間に配置された転動体を有し、特に、転動体を保持するためのケージを有する本発明による軸受要素は、円周方向に沿って、個々のリングセグメントに、潤滑剤を受け取るための有孔要素を有する。
【０００６】
有孔要素を、軸受の特別の用途に最適である（例えば低い表面張力および十分な流動性を備える）潤滑剤に浸漬させることができる。回転移動中の内側リングに対する外側リングの相対運動によって発生される軸受要素内部の流れが、転動体と軸受リングの接触領域に潤滑剤を搬送する。
【０００７】
潤滑剤搬送は、個々のリングセグメントにおける有孔要素の配置によって、円周方向で影響を及ぼされる。特に、潤滑剤の流れに関する蓄積段階および解放段階は、有孔要素を有するリングセグメントと有孔要素を有さないリングセグメントを交互配置することによって、軸受要素の内部で生成される。その結果、全体として潤滑作用が改良される。
【０００８】
ここで、有孔要素は、特に開孔および通気性有孔要素であり、繊維またはプラスチックベースのスポンジ状の吸収材料、または金属ウール、焼結材料、もしくは発泡金属からなっていてよい。
【０００９】
１つの好ましい実施形態では、有孔要素は、円周にわたって等距離に分布され、すなわち、個々の有孔要素間の間隔が全周にわたって同一である。その結果、円周にわたって一定の潤滑作用を実現することができる。
【００１０】
有利には、リングセグメントの約４０％〜６０％が、円周方向に沿って有孔要素を有する。その結果、有孔要素を有するリングセグメントと有孔要素を有さないリングセグメントとの交替が円周方向に沿ってますます増える。それに対応して、蓄積段階および解放段階も潤滑剤の流れ中でますます増え、潤滑作用が高められる。
【００１１】
１つの有利な実施形態では、有孔要素の少なくとも１つの半径方向に延在する外面が、面取り、特に軸方向で延在する面取りを有する。特に、前記面取りによって、半径方向に延在するこの外面からの潤滑剤の解放および／または半径方向に延在する外面の蓄積効果に影響を及ぼすことができる。
【００１２】
さらなる有利な実施形態では、有孔要素は、内周面と、内周面に対して同心に延在する外周面と、半径方向に延在する外面としての端面とを有するリングセグメント形の基本形状を有する。その結果、軸受要素内への特に単純な設置が可能になる。
【００１３】
さらなる有利な実施形態では、少なくとも１つの有孔要素が、軸方向で延在する突出部を有する。その結果、有孔要素の体積、したがって潤滑剤を受け取る有孔要素の能力を効果的に高めることができる。
【００１４】
さらなる有利な実施形態では、軸受要素は、環状カバーディスクによって軸方向で閉じられ、有孔要素の少なくとも１つがカバーディスクに取り付けられる。さらなる実施形態では、有孔要素はまた、内側リングまたは外側リングおよび／またはケージ（転動体ケージ）に取り付けることもできる。
【００１５】
さらなる実施形態では、軸受要素は、第１の平面内に位置する有孔要素を有するリングセグメントと、第１の平面に平行に、軸方向で第１の平面から離隔して広がる第２の平面内に位置する有孔要素を有するリングセグメントとを有する。その結果、存在する有孔要素の数を増やすことができ、同時に蓄積および解放段階の数も増やすことができる。
【００１６】
特に、第１および第２の平面は、軸方向での軸受要素の内部を画定することができる。
【００１７】
図面の各図における例示実施形態を使用して、本発明をさらに詳細に説明する。
【図面の簡単な説明】
【００１８】
【図１】軸受要素の概略図である。
【図２】軸受要素の断面図である。
【図３】図２からの拡大詳細図である。
【発明を実施するための形態】
【００１９】
図１は、転動体２（図１には図示せず）を有する環状軸受要素１を示し、転動体２は、円周方向で、内側リング３と、内側リング３に対して同心に配置された外側リング４との間に配置される。軸受要素１は、円周方向に沿って、個々のリングセグメントに、潤滑剤を受け取るための有孔要素６ａおよび６ｂを有する。有孔要素６ａおよび６ｂは、内側円周面７と、内側円周面７に対して同心に延在する外側円周面８と、半径方向に延在する端面９ａおよび９ｂとを有するリングセグメント形の基本形状を有する。端面９ａは、軸方向に延在する面取りを有する。
【００２０】
有孔要素６ａおよび６ｂは、等距離に配置され、それぞれ円周の４分の１にわたる。４分の１円のサイズを有し、有孔要素を有さないリングセグメントが、有孔要素６ａおよび６ｂの間にそれぞれ１つ存在する。したがって、全体として、円周方向に沿ってリングセグメントの５０％に有孔要素が存在する。
【００２１】
図２および図３は、軸受要素１を通る断面図および前記断面図からの拡大詳細図を示す。転動体２は、内側リング３と外側リング４の間のケージ内に保持される。軸受要素１において、個々のリングセグメントに、潤滑剤を受け取るための有孔要素６ｃおよび６ｄが円周方向に沿って提供される。各場合に、複数の有孔要素６ｃおよび６ｄが円周に沿って配置され、有孔要素を有さないリングセグメントが、それぞれの有孔要素６ｃおよび６ｄの間に存在する。
【００２２】
さらに、有孔要素６ｄは、内側リング３に配置されて軸方向に延在する突出部１０を有する。軸受要素１は、環状カバーディスク１１および閉止蓋１２によって軸方向で閉じられ、有孔要素６ｄはカバーディスク１１に取り付けられ、有孔要素６ｃは閉止蓋１２に取り付けられる。さらに、閉止蓋１２は別個の構成要素として構成され、ラビリンスシール１３を有する。
【００２３】
軸受要素１の内部に、第１の平面内にある有孔要素６ｃを有するリングセグメントと、第１の平面と平行であり、軸方向で第１の平面から離隔されて広がる第２の平面内にある有孔要素６ｄを有するリングセグメントとが存在する。ここで、第１および第２の平面が、軸方向での軸受要素の内部を画定する。
【符号の説明】
【００２４】
１  軸受要素
２  転動体
３  内側リング
４  外側リング
５  ケージ
６ａ、６ｂ、６ｃ、６ｄ  有孔要素
７  内側円周面
８  外側円周面
９ａ、９ｂ  端面
１０  突出部
１１  カバーディスク
１２  閉止蓋
１３  ラビリンスシール
【図１】
0005509218.tif 000002
【図２】
0005509218.tif 000003
【図３】
0005509218.tif 000004